【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
手のサイズに対応するハンドルを設計する方法であって、
（１）手をＴ位置にして、手の長指の先端をほぼ一直線にすること、
（２）手の水平皺を横断して橈骨側から尺骨側まで、手の長指の中手指骨を横断する長さを測定して、ハンドルの長さを決定すること、
（３）尺骨方向へ向けて、手の長手方向の皺の前の端部まで走る、手の拇指の基底部から離れた第１線を描くこと、
（４）手の尺骨側から、手の尺骨側の扁平骨へ離れていて、手の小指球筋肉のほぼ２／３を横断して手の橈骨側へ向かって走る第２線を描くこと、
（５）手掌筋肉領域から手の水平皺における小指球筋肉へ延びる第３線を描くこと、および
（６）第１線、第２線、および第３線を、手掌を横断する第１長手方向線、および第２長手方向線と結合して、手の手根骨トンネルから離れた部分を有する手の対応するサイズのハンドルの近位側部を画定すること、を含む手のサイズに対応するハンドルを設計する方法。
【請求項２】
手に合ったハンドルを設計する方法であって、
（１）手を、手の長指の先端がほぼ一直線になり、手の拇指が示指と中指と対向し、手の尺骨側が、同一平面に位置しているような位置にすること、
（２）第１表面、第２表面、および第３表面の縁部を結合して、第４表面を形成し、手に合ったハンドルの形状測定を行うことを含み、ここに、
第１表面が、手の尺骨側が位置している平面の水平面であること、
第２表面が、手の橈骨側が接触していて、手が位置している平面の水平面に平行な水平面であること、
第３表面が、手が位置している平面の水平面に垂直で、且つ、手の拇指の基底部において母指球の表面から始まり、手の長指の手掌表面で終わり、そして第３表面が手の長指と交わる位置が、手が、手の長指の先端がほぼ一直線になるような位置にある時、手の示指との間の空間の距離に依存していて、手の拇指が、手の示指と中指に対向していて、手の尺骨側が、同一平面に位置していること、
第４表面が、手と共に第４表面との境界を形成する第１表面、第２表面、および第３表面の交差によって形成される手の不規則な内表面で、手に合ったハンドルの形状測定を行うこと、を特徴とする手に合ったハンドルを設計する方法。
【請求項３】
（１）尺骨方向へ向けて、手の長手方向の皺の前の端部まで走る、手の拇指の基底部から離れた第１線を描くこと、
（２）手の尺骨側から、手の尺骨側の扁平骨へ離れていて、手の小指球筋肉のほぼ２／３を横断して手の橈骨側へ向かって走る第２線を描くこと、
（３）手の手掌筋肉領域から手の水平皺における小指球筋肉へ延びる第３線を描くこと、および
（４）第１線、第２線、および第３線を、手の手掌を横断する第１長手方向線、および第２長手方向線と結合して、ハンドルの近位側部を画定し、手に合ったハンドルの近位側部の近位境界測定を行うことを更に含む請求項２に記載した手に合ったハンドルを設計する方法。
【請求項４】
ハンドルの形状測定を、ハンドルの近位境界測定と組合わせて、手に合ったハンドルの容積測定を行うことを更に含む請求項３に記載した手に合ったハンドルを設計する方法。
【請求項５】
手に合ったハンドルを設計する方法であって、
（１）手をハンドルの測定位置に置いた時の、手の長指の近位指節関節(PIP)における第１屈曲角度を測定すること、
（２）手をハンドルの測定位置に置いた時の、手の長指の遠位指節関節(DIP)における第２屈曲角度を測定すること、
（３）手をハンドルの測定位置に置いた時の、手の長指の中手指節関節(ＭＰ)における第３屈曲角度を測定すること、
（４）手をハンドルの測定位置に置いた時の、手の拇指の遠位指節関節(DIP)における第４屈曲角度を測定すること、および
（５）第１屈曲角度、第２屈曲角度、第３屈曲角度、および第４屈曲角度を組み合わせて、ハンドルの近位側部から遠位側部までのハンドルの距離範囲を提供し、且つ、ハンドルの手掌側部から拇指側部までの距離範囲を提供すること、を含む手に合ったハンドルを設計する方法。
【請求項６】
手で使用する装置であって；
遠位側部と近位側部を有し、手掌アーチと契合するセクションを備えていて、遠位側部が、前記セクションを手掌の中手指節関節(ＭＰ)と契合させる近位側部より急激なスロープを有しているようなセクションを備えた手で使用する装置。
【請求項７】
手掌アーチと契合するセクションを備えたハンドルと、装置の作用端部とを更に備えた請求項６に記載の手で使用する装置。
【請求項８】
作用端部がブラッシである請求項７に記載の手で使用する装置。
【請求項９】
近位側部セクションと遠位側部セクションを具備した細長く伸びた本体を備えた手で使用するハンドルで、
（１）手の拇指を受け入れる橈骨拇指側部、手の示指を受け入れる遠位橈骨側部、および手の手掌表面の一部と契合する表面を有している手掌橈骨側部を有する橈骨セクションと、
（２）手の中指と薬指を受け入れる遠位中央側部、および手の手掌表面の一部と契合して中指と薬指の端部をおおむね一直線に位置決めする表面を有している手掌中央側部を有し前記橈骨セクションに隣接する中央セクション、および
（３）手の小指を受け入れる遠位尺骨側部、手の手掌表面の一部と契合して小指の端部を中指と薬指の端部とおおむね一直線に位置決めする表面を有している手掌尺骨側部を有し中央セクションと隣接する尺骨セクション、を備えていて、
ハンドルの細長く伸びた本体の近位側部セクションが、橈骨セクションの近位橈骨側部、中央セクションの中央側部、および尺骨セクションの近位尺骨側部を含む近位側部表面を形成していて、ハンドルが、長手方向に、近位側部セクションおよび遠位側部セクションも２つのセクションに画定されているハンドル上の位置から、尺骨セクションの近位尺骨側部が、中央セクションの近位中央側部を越えて延びていて、それにより、ハンドルが、手掌表面の対応する部位と契合して、手根骨トンネルを覆っている手の表面を契合せずにハンドルを手の中に位置決めする、近位側部セクションと遠位側部セクションを具備した細長く伸びた本体を備えた手で使用するハンドル。
【請求項１０】
橈骨セクション、中央セクション、および尺骨セクションが、長靴に近似した本体を形成している請求項９に記載したハンドル。
【請求項１１】
中央セクションに沿った近位側部が、ハンドルが手と契合した時、手根骨トンネルと接触するのを防ぐ凹陥部を有している請求項９に記載したハンドル。
【請求項１２】
ハンドルの細長く延びた本体が、中央セクションの手掌中央側部、および橈骨セクションの手掌橈骨側部および細長く延びた本体の尺骨セクションの手掌尺骨側部の少なくとも一つの上に拡がっていて、手の中手指節関節（ＭＰ）を受け入れる溝付きまたは平坦部分を有している請求項９のハンドル。
【請求項１３】
ハンドルの橈骨セクション、中央セクション、および尺骨セクションの少なくとも一つが、シャフトと結合している請求項９のハンドル。
【請求項１４】
ハンドルの細長く伸びた本体の近位側部セクションと遠位側部セクションが、締結装置として使用する部材と結合している請求項９のハンドル。
【請求項１５】
近位側部セクションと遠位側部セクションを有する細長く伸びた本体を備えた人の手で使用する装置であって、
（１）手の拇指を受け入れる拇指橈骨側部、手の示指を受け入れる遠位橈骨側部、および手の手掌表面の一部と契合する表面を有している手掌橈骨側部とを有する橈骨セクションと、
（２）手の中指と薬指を受け入れる遠位中央側部、および手の手掌表面の一部と契合して中指と薬指の端部をおおむね一直線に位置決めする表面を有している手掌中央側部を有し前記橈骨セクションに隣接する中央セクション、および
（３）手の小指を受け入れる遠位尺骨側部、および手の手掌表面の一部と契合して小指の端部を中指と薬指の端部とおおむね一直線に位置決めする表面を有している手掌尺骨側部を有し中央セクションと隣接する尺骨セクション、を備えていて、
装置の細長く伸びた本体の近位側部セクションが、橈骨セクションの近位橈骨側部、中央セクションの近位中央側部、および尺骨セクションの近位尺骨側部を含む近位側部表面を形成していて、装置が、長手方向に、近位側部セクションおよび遠位側部セクションの２つのセクションに画定されている装置の位置から、尺骨セクションの近位尺骨側部が、中央セクションの近位中央側部を越えて延びていて、それにより、装置が、手掌表面の対応する部位と契合して、手根骨トンネルを覆っている手の表面と契合せずにハンドルを手の中に位置決めする、近位側部セクションと遠位側部セクションを有する細長く伸びた本体を備えた人の手で使用する装置。
【請求項１６】
シャフトが、道具を含む請求項１３のハンドル。
【請求項１７】
ハンドルが、シャフトに結合していて、シャフトに沿って滑動する請求項１３のハンドル。
【請求項１８】
ハンドルが、シャフトに関してハンドルの位置を調整する手段によってシャフトに取り付けられている請求項１３のハンドル。
【請求項１９】
ハンドルが、シャフトを収める少なくとも１個の開口を有している請求項１６のハンドル。
【請求項２０】
シャフトが、ステアリング機構を備えている請求項１３のハンドル。
【請求項２１】
ハンドルが、グラブに一体化されている請求項９のハンドル。
【請求項２２】
装置が、少なくとも１個のスイッチまたはボタンを備えている請求項１５の装置。
【請求項２３】
少なくとも１個のスイッチまたはボタンが、対応する機能を制御するものである請求項２２のハンドル。
【請求項２４】
近位側部セクションと遠位側部セクションを有する細長く伸びた本体を備えた人の手で使用するハンドルであって、
（１）手の拇指を受け入れる拇指橈骨側部、手の示指を受け入れる遠位橈骨側部、および手の手掌表面の一部と契合する表面を有している手掌橈骨側部とを有する橈骨セクションと、
（２）手の中指と薬指を受け入れる遠位中央側部、および手の手掌表面の一部と契合して中指と薬指の端部をおおむね一直線に位置決めする表面を有している手掌中央側部を有し前記橈骨セクションに隣接する中央セクション、および
（３）手の小指を受け入れる遠位尺骨側部、および手の手掌表面の一部と契合して小指の端部を中指と薬指の端部とおおむね一直線に位置決めする表面を有している手掌尺骨側部を有し中央セクションと隣接する尺骨セクション、を備えていて、
ハンドルの細長く伸びた本体の近位側部セクションが、橈骨セクションの近位橈骨側部、中央セクションの近位中央側部、および尺骨セクションの近位尺骨側部を含む近位側部表面を形成していて、ハンドルが、長手方向に、近位側部セクションおよび遠位側部セクションの２つのセクションに画定されているハンドルの位置から、尺骨セクションの近位尺骨側部が、中央セクションの近位中央側部を越えて延びていて、それにより、ハンドルが、手掌表面の対応する部位と契合して、手根骨トンネルを覆っている手の表面を実質的に圧迫せずに、ハンドルを手の中に位置決めする、近位側部セクションと遠位側部セクションを有する細長く伸びた本体を備えた人の手で使用するハンドル。
【請求項２５】
近位側部セクションと遠位側部セクションを有する細長く伸びた本体を備えた人の手で使用するハンドルであって、
（１）手の手掌表面の一部と契合する表面を有する手掌橈骨側部を備えた橈骨セクション、
（２）手の手掌表面の一部と契合して、中指と薬指の端部をおおむね一直線に位置決めする表面を有している手掌中央側部を有し前記橈骨セクションに隣接する中央セクション、および
（３）手の手掌表面の一部と契合して、小指の端部を中指と薬指の端部とおおむね一直線に位置決めする表面を有している手掌尺骨側部を有し中央セクションと隣接する尺骨セクション、を備えていて、
ハンドルの細長く伸びた本体の近位側部セクションが、橈骨セクションの近位橈骨側部、中央セクションの近位中央側部、および尺骨セクションの近位尺骨側部を含む近位側部表面を形成していて、ハンドルが、長手方向に、近位側部セクションおよび遠位側部セクションの２つのセクションに画定されているハンドルの位置から、尺骨セクションの近位尺骨側部が、中央セクションの近位中央側部を越えて延びていて、それにより、ハンドルが、手掌表面の対応する部位と契合して、手根骨トンネルを覆っている手の表面を実質的に圧迫せずに、ハンドルを手の中に位置決めする、近位側部セクションと遠位側部セクションを有する細長く伸びた本体を備えた人の手で使用するハンドル。
【請求項２６】
近位側部セクションと遠位側部セクションを有する細長く伸びた本体を備えた人の手で使用する装置であって、
（１）手の拇指を受け入れる拇指橈骨側部、手の示指を受け入れる遠位橈骨側部、および手の手掌表面の一部と契合する表面を有している手掌橈骨側部とを有する橈骨セクションと、
（２）手の中指と薬指を受け入れる遠位中央側部、および手の手掌表面の一部と契合して中指と薬指の端部をおおむね一直線に位置決めする表面を有している手掌中央側部を有し前記橈骨セクションに隣接する中央セクション、および
（３）手の小指を受け入れる遠位尺骨側部、および手の手掌表面の一部と契合して小指の端部を中指と薬指の端部とおおむね一直線に位置決めする表面を有している手掌尺骨側部を有し中央セクションに隣接する尺骨セクション、を備えていて、
装置の細長く伸びた本体の近位側部セクションが、橈骨セクションの近位橈骨側部、中央セクションの近位中央側部、および尺骨セクションの近位尺骨側部を含む近位側部表面を形成していて、装置が、長手方向に、近位側部セクションおよび遠位側部セクションの２つのセクションに画定されているハンドルの位置から、尺骨セクションの近位尺骨側部が、中央セクションの近位中央側部を越えて延びていて、それにより、装置が、手掌表面の対応する部位と契合して、手根骨トンネルを覆っている手の表面を実質的に圧迫せずに、装置を手の中に位置決めする、近位側部セクションと遠位側部セクションを有する細長く伸びた本体を備えた人の手で使用する装置。
【請求項２７】
近位側部セクションと遠位側部セクションを有する細長く伸びた本体を備えた人の手で使用する装置であって、
（１）手の手掌表面の一部と契合する表面を有する手掌橈骨側部を備えた橈骨セクション、
（２）手の手掌表面の一部と契合して、中指と薬指の端部をおおむね一直線に位置決めする表面を有している手掌中央側部を有し前記橈骨セクションに隣接する中央セクション、および
（３）手の手掌表面の一部と契合して、小指の端部を中指と薬指の端部とおおむね一直線に位置決めする表面を有している手掌尺骨側部を有し中央セクションに隣接する尺骨セクション、を備えていて、
装置の細長く伸びた本体の近位側部セクションが、橈骨セクションの近位橈骨側部、中央セクションの近位中央側部、および尺骨セクションの近位尺骨側部を含む近位側部表面を形成していて、装置が、長手方向に、近位側部セクションおよび遠位側部セクションの２つのセクションに画定されている装置の位置から、尺骨セクションの近位尺骨側部が、中央セクションの近位中央側部を越えて延びていて、それにより、装置が、手の手掌表面の対応する部位と契合して、手根骨トンネルを覆っている手の表面を実質的に圧迫せずに、装置を手の中に位置決めする、近位側部セクションと遠位側部セクションを有する細長く伸びた本体を備えた人の手で使用する装置。
【請求項２８】
近位側部セクションと遠位側部セクションを有する細長く伸びた本体を備えた人の手で使用する装置であって、
（１）手の拇指を受け入れる拇指橈骨側部、手の示指を受け入れる遠位橈骨側部、および手の手掌表面の一部と契合する表面を有している手掌橈骨側部とを有する橈骨セクション、
（２）手の中指と薬指を受け入れる遠位中央側部、および手の手掌表面の一部と契合して中指と薬指の端部を位置決めする表面を有している手掌中央側部を有し前記橈骨セクションに隣接する中央セクション、および
（３）手の小指を受け入れる遠位尺骨側部、および手の手掌表面の一部と契合して小指の端部を位置決めする表面を有している手掌尺骨側部を有し中央セクションに隣接する尺骨セクション、を備えていて、
装置の細長く伸びた本体の近位側部セクションが、橈骨セクションの近位橈骨側部、中央セクションの近位中央側部、および尺骨セクションの近位尺骨側部を含む近位側部表面を形成していて、装置が、長手方向に、近位側部セクションおよび遠位側部セクションの２つのセクションに画定されている装置の位置から、尺骨セクションの近位尺骨側部が、中央セクションの近位中央側部を越えて延びていて、それにより、装置が手の手掌表面の対応する部位と契合して、手根骨トンネルを覆っている手の表面を実質的に圧迫せずに、装置を手の中に位置決めする、近位側部セクションと遠位側部セクションを有する細長く伸びた本体を備えた人の手で使用する装置。
【請求項２９】
装置が、コンピュータマウスを含む請求項２８の装置。